(57)【要約】【課題】  メーカ、機種に依存せず、撮像装置と投影装置を直接接続してデータを取り扱うことができ、更にデータのハンドリングが可能な直接投射装置およびそのプログラムを提供する。【解決手段】  撮像装置（１）内の撮像データを投影装置（２）に送信して記憶させる撮像データ送信手段と、投影装置から、該投影装置の動作を操作するためのユーザインターフェースを受信するインターフェース受信手段と、インターフェースに基く操作画面を撮像装置の入出力手段（８）に表示する操作画面表示手段と、操作画面に基づいて入力された操作データを投影装置に送信する操作データ送信手段とを備えた直接投射装置（１０）である。【選択図】    図２
2005130394.tif 000002
【特許請求の範囲】
【請求項１】
投影装置に直接信号接続する撮像装置に搭載され、該撮像装置の動作を制御する直接投射装置において、
上記撮像装置内の撮像データを上記投影装置に送信して記憶させる撮像データ送信手段と、
上記投影装置から、該投影装置の動作を操作するためのユーザインターフェースを受信するインターフェース受信手段と、
上記インターフェースに基く操作画面を上記撮像装置の入出力手段に表示する操作画面表示手段と、
上記操作画面に基づいて入力された操作データを上記投影装置に送信する操作データ送信手段と
を備えたことを特徴とする直接投射装置。
【請求項２】
上記操作データは、少なくとも上記投影装置が投影する撮像データを指定する情報、該撮像データを保存するフォルダを指定する情報のいずれか１つの情報を含むことを特徴とする請求項１に記載の直接投射装置。
【請求項３】
上記操作データは、上記投影装置が投影する像の、少なくとも明るさを操作するデータ、色調を操作するデータのいずれか１つを含むことを特徴とする請求項１に記載の直接投射装置。
【請求項４】
撮像装置に直接信号接続する投影装置に搭載され、該投影装置の動作を制御する直接投射装置において、
上記撮像装置から撮像データを受信して記憶装置に記憶する撮像データ受信手段と、
上記投影装置の動作を操作するためのユーザインターフェースを上記撮像装置に送信するインターフェース送信手段と、
上記撮像装置から上記投影装置の動作を操作する操作データを受信する操作データ受信手段と、
上記操作データに基づいて上記投影装置の動作を制御する操作制御手段と
を備えたことを特徴とする直接投射装置。
【請求項５】
上記撮像装置から、上記投影装置が記憶する前記撮像データを指定する情報、該撮像データを保存するフォルダを指定する情報の内少なくともいずれか１つの指定データを受信する指定データ受信手段と、
指定された撮像データ、または指定されたフォルダに保存される撮像データを投影する撮像データ投影手段と
を備えたことを特徴とする請求項４に記載の直接投射装置。
【請求項６】
上記所定の撮像データ毎に、明るさ優先で投影するか色再現優先で投影するかを指定する投影モード指定手段を有し、
上記撮像データ投影手段は、上記所定の撮像データを対応する投影モードで投影することを特徴とする請求項４または５に記載の直接投射装置。
【請求項７】
上記所定のフォルダ毎に、明るさ優先で投影するか色再現優先で投影するかを指定する投影モード指定手段を有し、
上記撮像データ投影手段は、上記所定のフォルダに保存された撮像データを対応する投影モードで投影することを特徴とする請求項４または５に記載の直接投射装置。
【請求項８】
投影装置に直接信号接続する撮像装置に搭載され、該撮像装置の動作を制御する直接投射装置の直接投射プログラムにおいて、
上記撮像装置内の撮像データを上記投影装置に送信して記憶させる撮像データ送信手順と、
上記投影装置から、該投影装置の動作を操作するためのユーザインターフェースを受信するインターフェース受信手順と、
上記インターフェースに基く操作画面を上記撮像装置の入出力手段に表示する操作画面表示手順と、
上記操作画面に基づいて入力された操作データを上記投影装置に送信する操作データ送信手順と
をコンピュータに実行させるためのプログラム。
【請求項９】
撮像装置に直接信号接続する投影装置に搭載され、該投影装置の動作を制御する直接投射装置の直接投射プログラムにおいて、
上記撮像装置から撮像データを受信して記憶装置に記憶する撮像データ受信手順と、
上記投影装置の動作を操作するためのユーザインターフェースを上記撮像装置に送信するインターフェース送信手順と、
上記撮像装置から上記投影装置の動作を操作する操作データを受信する操作データ受信手順と、
上記操作データに基づいて上記投影装置の動作を制御する操作制御手順と
をコンピュータに実行させるためのプログラム。
【発明の詳細な説明】
【技術分野】
【０００１】
本発明は、撮像装置と投影装置とが直接信号接続して効果的な撮像データの再生を行うための技術に関する。
【背景技術】
【０００２】
電子カメラの普及につれ、その再生方法は従来のプリント以外にも、パーソナルコンピュータ（以下、「ＰＣ」という。）やＴＶのモニタでの再生、プロジェクタでの投射等、種々の楽しみ方が提案されている。特にプロジェクタは大画面での再生が可能であるため大きさにとらわれない図２２に示すような複数の鑑賞者を対象とした鑑賞が可能となる。
【０００３】
従来、電子カメラで撮影した画像等のデータをプロジェクタで再生するときには、ＰＣの内蔵メモリに画像データを保存し、ＰＣを利用して圧縮画像の解凍、プロジェクタ表示データの作成を行っていた（例えば、特許文献１参照）。
【０００４】
また、カメラ側に設けられたビデオ出力端子から、低解像度の画像をプロジェクタなどに出力することも行われていた。
【特許文献１】特開２００１−１２５７３８号公報
【発明の開示】
【発明が解決しようとする課題】
【０００５】
しかし、電子カメラが高画質化するに伴いビデオ出力を利用するのでは、カメラの性能を十分に引き出した高画質の画像を再生することは困難なものとなっていた。
【０００６】
そのため、電子カメラとプロジェクタ間に専用のインターフェース機器を設け、ＰＣの代用とする解決案もあるが、次のような課題があった。
【０００７】
プロジェクタ装置が、電子カメラと一体として接続されてデータの転送を可能とするためには、インターフェース機器は、プロジェクタの種類（例えば、解像度や色再現技術等）に対応して、電子カメラと接続できるように個々に設計する必要があるため、コストアップとなる。
【０００８】
従来のプロジェクタ装置は、所定の電子カメラからの撮像データの再生を主たる目的として構成されているため、その機能はデータ転送、映写に特化したものである。従って、従来のＰＣを介した場合のように、データのハンドリングを行う機能が備っていない。
【０００９】
本発明は係る事情に鑑みてなされたものであって、メーカ、機種に依存せず、撮像装置と投影装置を直接接続してデータを取り扱うことができ、更にデータのハンドリングが可能な直接投射装置およびそのプログラムを提供することを目的とする。
【課題を解決するための手段】
【００１０】
上記課題を解決するための、本発明の請求項１に記載の直接投射装置は、投影装置に直接信号接続する撮像装置に搭載され、該撮像装置の動作を制御する直接投射装置において、上記撮像装置内の撮像データを上記投影装置に送信して記憶させる撮像データ送信手段と、上記投影装置から、該投影装置の動作を操作するためのユーザインターフェースを受信するインターフェース受信手段と、上記インターフェースに基く操作画面を上記撮像装置の入出力手段に表示する操作画面表示手段と、上記操作画面に基づいて入力された操作データを上記投影装置に送信する操作データ送信手段とを備えた。
【００１１】
また本発明に係る請求項２に記載の直接投射装置は、上記記載の発明である直接投射装置において、上記操作データは、少なくとも上記投影装置が投影する撮像データを指定する情報、該撮像データを保存するフォルダを指定する情報のいずれか１つの情報を含む。
【００１２】
また本発明に係る請求項３に記載の直接投射装置は、上記記載の発明である直接投射装置において、上記操作データは、上記投影装置が投影する像の、少なくとも明るさを操作するデータ、色調を操作するデータのいずれか１つを含む。
【００１３】
また本発明に係る請求項４に記載の直接投射装置は、撮像装置に直接信号接続する投影装置に搭載され、該投影装置の動作を制御する直接投射装置において、上記撮像装置から撮像データを受信して記憶装置に記憶する撮像データ受信手段と、上記投影装置の動作を操作するためのユーザインターフェースを上記撮像装置に送信するインターフェース送信手段と、上記撮像装置から上記投影装置の動作を操作する操作データを受信する操作データ受信手段と、上記操作データに基づいて上記投影装置の動作を制御する操作制御手段とを備えた。
【００１４】
また本発明に係る請求項５に記載の直接投射装置は、上記記載の発明である直接投射装置において、上記撮像装置から、上記投影装置が記憶する前記撮像データを指定する情報、該撮像データを保存するフォルダを指定する情報の内少なくともいずれか１つの指定データを受信する指定データ受信手段と、指定された撮像データ、または指定されたフォルダに保存される撮像データを投影する撮像データ投影手段とを備えた。
【００１５】
また本発明に係る請求項６に記載の直接投射装置は、上記記載の発明である直接投射装置において、上記所定の撮像データ毎に、明るさ優先で投影するか色再現優先で投影するかを指定する投影モード指定手段を有し、上記撮像データ投影手段は、上記所定の撮像データを対応する投影モードで投影する。
【００１６】
また本発明に係る請求項７に記載の直接投射装置は、上記記載の発明である直接投射装置において、上記所定のフォルダ毎に、明るさ優先で投影するか色再現優先で投影するかを指定する投影モード指定手段を有し、上記撮像データ投影手段は、上記所定のフォルダに保存された撮像データを対応する投影モードで投影する。
【００１７】
また本発明に係る請求項８に記載のプログラムは、投影装置に直接信号接続する撮像装置に搭載され、該撮像装置の動作を制御する直接投射装置の直接投射プログラムにおいて、上記撮像装置内の撮像データを上記投影装置に送信して記憶させる撮像データ送信手順と、上記投影装置から、該投影装置の動作を操作するためのユーザインターフェースを受信するインターフェース受信手順と、上記インターフェースに基く操作画面を上記撮像装置の入出力手段に表示する操作画面表示手順と、上記操作画面に基づいて入力された操作データを上記投影装置に送信する操作データ送信手順とをコンピュータに実行させる。
【００１８】
また本発明に係る請求項９に記載のプログラムは、撮像装置に直接信号接続する投影装置に搭載され、該投影装置の動作を制御する直接投射装置の直接投射プログラムにおいて、上記撮像装置から撮像データを受信して記憶装置に記憶する撮像データ受信手順と、上記投影装置の動作を操作するためのユーザインターフェースを上記撮像装置に送信するインターフェース送信手順と、上記撮像装置から上記投影装置の動作を操作する操作データを受信する操作データ受信手順と、上記操作データに基づいて上記投影装置の動作を制御する操作制御手順とをコンピュータに実行させる。
【発明の効果】
【００１９】
本発明によれば、メーカ、機種に依存せず、撮像装置と投影装置とを直接接続して撮像データを取り扱うことができ、更に撮像データのハンドリングが可能となる。
【発明を実施するための最良の形態】
【００２０】
図１は、本発明に係る直接投射装置の狙いを示す図である。
【００２１】
本発明に係る直接投射装置は、機器である電子カメラ１と記録装置を備えたプロジェクタ２に搭載されている。そして、直接投射装置の働きによって、電子カメラ１とプロジェクタ２とは、メーカ、機種に依存することなく、再生画像データや操作用のデータを取り扱うことが可能となる。
【００２２】
図２は、本発明に係る直接投射装置を用いたプロジェクタシステムの構成を示す図である。
【００２３】
プロジェクタシステムは、電子カメラ１、画像を記録する機能を有するプロジェクタ２及び通信線３で構成されている。
【００２４】
電子カメラ１には、撮像部５、機器記録媒体６、操作部７、表示部８、機器通信インターフェース９、機器直接投射手段１０及び機器制御部１１が設けられている。
【００２５】
撮像部５は、被写体を撮像して撮像信号を生成するとともに、種々の画像処理を行って画像データを作成する。機器記録媒体６は、撮像部５が作成した画像データ等を格納する。操作部７は、電子カメラ１の動作に関する指示を入力するための操作スイッチなどを備える。表示部８は、画像データあるいはユーザインターフェース画面等を表示する。機器通信インターフェース９は、プロジェクタ２との間で信号の授受を行うインターフェースである。機器直接投射手段１０は、本発明に係る直接投射装置であり、プロジェクタ２との間で画像データ等の転送及びハンドリングを行う。機器制御部１１は、機器直接投射手段１０の動作を含み、電子カメラ各部の動作を統括的に制御する。
【００２６】
プロジェクタ２には、プロジェクタ記録媒体１５、プロジェクタ通信インターフェース１６、プロジェクタ直接投射手段１７及びプロジェクタ制御部１８が設けられている。
【００２７】
プロジェクタ記録媒体１５は、画像データ等を格納する。プロジェクタ通信インターフェース１６は、電子カメラ１との間で信号の授受を行うインターフェースである。プロジェクタ直接投射手段１７は、本発明に係る直接投射装置であり、電子カメラ１との間で画像データ等の転送及びハンドリングを行う。プロジェクタ制御部１８は、プロジェクタ直接投射手段１７の動作を含み、プロジェクタ各部の動作を統括的に制御する。
【００２８】
また、プロジェクタ２には、更に操作部１８ａ、投射画像形成部１９、反射式画素制御デバイス（ＤＭＤ）１９ａ、投射光学系２０、光源２０ａ、回転式カラーフィルタ２０ｂ及びプリンタインターフェース１００が設けられている。
【００２９】
操作部１８ａは、投射する画像を選択する操作を行う。反射式画素制御デバイス１９ａは微小ミラーにより構成され、投射画像形成部１９が反射式画素制御デバイス１９ａの各画素の角度を切り換える。光源２０ａや回転式カラーフィルタ２０ｂ、投射光学系２０が投射される画像の切り換えや制御を行う。
【００３０】
なお、この回転式カラーフィルタ２０ｂは複数の切り換え式色フィルタからなり、光源２０ａからＤＭＤ１９ａを介した光がその色を投射するかどうかで色再現を行う。この色フィルタを通す光によって、明るさを優先した投射や色再現を優先した投射が可能となる。
【００３１】
プリンタインターフェース１００は、画像データを外部のプリンタ１０１に受け渡すための信号授受を行う。
【００３２】
ここで、通信線３とは広く情報の送受信に用いられる経路のことで、導電線、光ファイバなどの有線を用いた通信に限られず、光、音波、電波などを用いた無線通信も含まれる。
【００３３】
本プロジェクタシステムでは、電子カメラ１に設けられた機器直接投射手段１０とプロジェクタ２に設けられたプロジェクタ直接投射手段１７とが互いに信号の授受を行って連携した動作を行うことによって画像データ等の転送及びハンドリングを行う。
【００３４】
図３は、直接投射装置のプロトコルアーキテクチャを示す図である。
【００３５】
図３において、電子カメラ１の内部に記載された各層の機能が機器直接投射手段１０の構成に対応し、プロジェクタ２の内部に記載された各層の機能がプロジェクタ直接投射手段１７の構成に対応している。
【００３６】
物理通信層としては、例えばＵＳＢなどの物理的インターフェース２１を設ける。トランスポート層には、ＰＴＰトランスポートレイヤ２２を備える。ＰＴＰ（Picture Transfer Protocol)は、主に電子カメラにおいて画像転送に用いられるプロトコルである。尚、これらのレイヤの構成に際しては、上述のＵＳＢ、ＰＴＰに限らず、適宜公知の技術を用いて構成しても良い。
【００３７】
そして、ＰＴＰトランスポートレイヤ２２の上層に、直接投射を実現するための直接投射レイヤ２４とソフトウエアコンポーネントである直接投射ディスカバリ２３が設けられている。そして、最上層であるアプリケーション層２５にはソフトウエアコンポーネントである第１直接投射サーバ２６、第２直接投射クライアント２７が電子カメラ側に設けられ、第１直接投射クライアント２８及び第２直接投射サーバ２９がストレージ機能を有するプロジェクタ側に設けられている。
【００３８】
直接投射ディスカバリ２３は、電子カメラ１とプロジェクタ２とが直接投射を行うにあたって、所定の機能を備えているかどうかのネゴシエーションを行う。
【００３９】
第１直接投射（サーバ／クライアント）は、電子カメラ１の画像データをプロジェクタ２に転送する機能をサポートする。電子カメラ１側に設けられた第１直接投射サーバ２６は、プロジェクタ２側に設けられた第１直接投射クライアント２８からの要求に対してデータの提供を行う。
【００４０】
第２直接投射（サーバ／クライアント）は、プロジェクタ２の画像データを電子カメラ１に転送する機能、及びストレージ内の画像データを操作する機能をサポートする。プロジェクタ２側に設けられた第２直接投射サーバ２９は、電子カメラ１側に設けられた第２直接投射クライアント２７からの要求に対してデータの提供を行う。
【００４１】
本発明に係る直接投射装置は次の機能を備えている。
【００４２】
機能１：電子カメラ１とプロジェクタ２との間でデータ転送等の動作を行うための準備を整える機能。
【００４３】
この準備機能には、電子カメラ１とプロジェクタ２とが直接投射を行うための所定の機能を備えているかどうかのネゴシエーションを行うディスカバリ動作とそれぞれの機能に関する詳細情報の授受を行うコンフィギュア動作が定義されている。
【００４４】
機能２：電子カメラ１内の画像データをプロジェクタ２に転送してプロジェクタ記録媒体１５に記憶させる機能。
【００４５】
この機能として、ダイレクトコピー動作が定義されている。
【００４６】
機能３：プロジェクタ２内の画像データを電子カメラ１に転送して表示部８に表示または機器記録媒体６に記憶させる機能。
【００４７】
この機能として、制御用表示動作が定義されている。
【００４８】
機能４：電子カメラ１からプロジェクタ２内のファイル等を操作する機能。
【００４９】
この機能として、プロジェクタ２のストレージ内の画像データの移動動作、プロジェクタ２内での画像データの削除などの動作等が定義されている。
【００５０】
以下、それぞれの機能に従って直接投射装置の動作について説明する。
【００５１】
［準備機能］
先ず、電子カメラ１とプロジェクタ２とが直接投射を行うための所定の機能を備えているかどうかのネゴシエーションを行うディスカバリ動作について説明する。
【００５２】
図４は、ディスカバリ動作の信号授受フローを示す図である。
【００５３】
電子カメラ１とプロジェクタ２とが通信線３によって接続され通信が可能な状態になったときに、プロジェクタ側の直接投射ディスカバリ２３ａが起動し電子カメラ１に対して、直接投射機能を定義したファイル、即ち、プロジェクタによる投射（映写）を許可したファイルのファイル識別子のリストを要求する（Ｓ１）。
【００５４】
ここで、ファイル識別子は、画像データファイルなどを識別するためのＩＤデータであり、ユーザが電子カメラ１内の全ファイルに対してユニークな値を設定する。従って、このファイル識別子によって映写の対象とするファイルを特定することができる。尚、ファイル識別子の詳細については後述する。
【００５５】
電子カメラ１では、直接投射ディスカバリ２３ｂが起動し、電子カメラ内に備えている映写許可を定義したファイルを抽出し、そのファイル識別子のリストを作成してプロジェクタ２に送信する（Ｓ２）。
【００５６】
プロジェクタ２では、ファイル識別子毎にそのファイルの情報の送信を要求し、電子カメラ１では、要求のあったファイル識別子のファイルの情報をプロジェクタ２に送信する（Ｓ３、Ｓ４）。そして、この動作を、リストに記載されたファイル識別子毎に繰り返して実行する。
【００５７】
この動作によって、プロジェクタ２では、接続された電子カメラ１が備えている直接投射機能を把握することができる。
【００５８】
次に、プロジェクタ２では、プロジェクタ内に備えているカメラとの直接投射機能を定義したファイルを抽出し、そのファイル情報を送信する（Ｓ５）。
【００５９】
この動作によって、電子カメラ１とプロジェクタ２は互いが有する直接投射機能を認識することができる。そして、電子カメラ１とプロジェクタ２が直接投射を実行することが可能であることが認知された場合は、続いて電子カメラ１は、プロジェクタ２が保有する詳細の直接投射に関する機能情報及び能力情報を獲得するための動作を実行する。
【００６０】
図５は、機能情報及び能力情報の獲得動作の信号授受フローを示す図である。
【００６１】
尚、本獲得動作は、第２直接投射サーバ２９と第２直接投射クライアント２７とのあいだの信号授受によって実行される。従って、第１直接投射サーバ２６と第１直接投射クライアント２８は信号授受動作を行わない。
【００６２】
電子カメラ１の第２直接投射クライアント２７は、プロジェクタ２に対して詳細の機能情報を問い合わせる（Ｓ１０）。ここで、問い合わせる機能としては、電子カメラ１からプロジェクタ２へのデータ転送機能、プロジェクタ２から電子カメラ１へのデータ転送機能、プロジェクタ２内のファイル等を操作する機能（先に接続されていたカメラのファイルが残っていた場合などは消去する等）などである。また、直接投射クライアント２７は、この問い合わせに併せて、電子カメラ１の機種名などの機器情報も送信する。
【００６３】
プロジェクタ２の第２直接投射サーバ２９は、このそれぞれの機能の問い合わせに対して回答を送信する（Ｓ１１）。
【００６４】
続いて、電子カメラ１の第２直接投射クライアント２７は、プロジェクタ２に対して能力情報を問い合わせる（Ｓ１２）。この能力情報によって、電子カメラ１はプロジェクタ２の動作を指定することができる。例えば、プロジェクタ記録媒体１５内のフォルダの自動作成の可否、ファイル名のリネームの可否、ファイルのプロテクションの可否などが該当する。
【００６５】
プロジェクタ２の第２直接投射サーバ２９は、このそれぞれの能力の問い合わせに対して回答を送信する（Ｓ１３）。
【００６６】
以上の準備の後、個別の機能に基く動作が実行可能となる。
【００６７】
[ダイレクトコピー機能]
この機能は、電子カメラ１内の画像データをプロジェクタ２に送信してプロジェクタ記録媒体１５に記憶させる機能である。高画質、大容量の画像データを再生する際には、データ転送時間が長くなるので、カメラ１とプロジェクタ２の直接接続に伴い、自動的に画像データのコピー（転送）を行うことが好ましい。直接投射装置はプロジェクタ記録媒体１５にストアされたデータを映写に適した形に調整する。
【００６８】
図６は、ダイレクトコピー動作の信号授受フローを示す図である。
【００６９】
ユーザが電子カメラ１の操作部７及び表示部８を用いて、送信する画像のファイルを選択して、ダイレクトコピーの開始を入力すると、第２直接投射クライアント２７が起動して、送信するファイル識別子（１〜ｍ）のリストをデータとして添付してダイレクトコピー要求を送信する（Ｓ２０）。
【００７０】
プロジェクタ２では、第１直接投射クライアント２８が送信されたリストから１つのファイル識別子（ｎ）を取り出し、そのファイル識別子（ｎ）についてのファイル情報を電子カメラ１に要求する（Ｓ２１）。
【００７１】
電子カメラ１では、第１直接投射サーバ２６がそのファイル識別子（ｎ）についてのファイル情報を編集してプロジェクタ２に送信する（Ｓ２２）。ここで、送信するファイル情報は、例えば、ファイル名、ファイルサイズ、ファイル属性などである。このような情報によって、カメラ１とプロジェクタ２の接続が円滑に行われるかどうかを直ちに判定することができる。
【００７２】
プロジェクタ２では、第１直接投射クライアント２８が送信されたファイル情報に基づいて画像ファイルを受入れるための準備を行う。また、ファイルサイズから空き容量のチェックを行い、受入れ可能かどうかの判断を行う。そして、受入れ可能であれば、電子カメラ１にファイルの転送を要求する（Ｓ２３）。
【００７３】
電子カメラ１では、第１直接投射サーバ２６がそのファイル識別子（ｎ）のファイルをプロジェクタ２に対して送信する（Ｓ２４）。
【００７４】
プロジェクタ２では、第１直接投射クライアント２８が送信されたファイルをプロジェクタ記録媒体１５の所定の領域に格納し、続いて第２直接投射サーバ２９がファイル識別子（ｎ）のファイルのコピー動作が正常に実施できたか否かのステータスを送信する（Ｓ２５）。
【００７５】
電子カメラ１では、第２直接投射クライアント２７が、ステータスに基づいてコピー動作の進捗画面を表示部８に表示する（Ｓ２６）。ここで進捗表示は種々の形態で行うことができる。例えば、バーグラフ、円グラフ等でコピーした割合（ｎ／ｍ）をグラフィカルに更新表示しても良く、コピーしたファイルの識別子を削除あるいは表示することで進捗状況を表わしても良い。
【００７６】
以上の手順（Ｓ２１〜Ｓ２６）を、手順Ｓで指示された全てのファイル識別子（１〜ｍ）について繰り返して実行する。
【００７７】
そして、ダイレクトコピー終了時に、第２直接投射サーバ２９が装置ステータスを送信し（Ｓ２７）、電子カメラ１の第２直接投射クライアント２７は、表示部８にダイレクトコピー動作のＯＫ・エラーを表示する（Ｓ２８）。ここで、エラーの内容としては、例えば、「空き容量不足」、「書込み禁止」、「ファイル属性が異なる」、「プロジェクタの種類が異なる」等がある。
【００７８】
もちろん、空き容量不足等のエラーに関しては、手順Ｓ２１を繰り返すことで、実際のファイル転送前に実施することで、コピー途中での失敗を防止することもできる。
【００７９】
次に、図７を参照してファイル識別子の付番方法について説明する。
【００８０】
図７には、フォルダ３５ａ〜３５ｎ、とファイル３８ａ〜３８ｃがツリー構造で表わされている。ここで、それぞれのフォルダ、ファイルを表わす図形中には、上段にフォルダ名またはファイル名を示し、下段にはファイル識別子が記載されている。
【００８１】
本プロジェクタ装置では、このツリー構造に基づいて、フォルダとファイルを区別することなく連続して番号を付け、これをファイル識別子とする。従って、この規則によれば、フォルダ３５ａ〜３５ｂのファイル識別子は「０００００００１」〜「０００００００２」、ファイル３８ａ〜３８ｃのファイル識別子は「０００００００３」〜「０００００００５」、フォルダ３５ｃファイル識別子は「０００００００６」…となる。尚、テンポラリのフォルダ３６にはファイル識別子を設定しない。このような、フォルダ管理、ファイル管理によって、それに応じた投射画像制御が可能となる。
【００８２】
次に、上述の能力情報に基いて、プロジェクタ投射用の画像データをプロジェクタ記録媒体１５にダイレクトコピーする際のファイル格納動作のバリエーションについて説明する、
図８は、プロジェクタ２がフォルダ作成機能を有さない場合の画像データ整理方法を説明する図である。
【００８３】
プロジェクタ２の第１直接投射クライアント２８は、送信されたファイル「Ｐ１０１０００４．ＪＰＧ］、「Ｐ１０１０００５．ＪＰＧ］を既存のフォルダ「１００ＡＢＣＤＥ」内にコピーする。この際、どのフォルダにコピーするかは、プロジェクタ２に実装されている仕様（例えば、動画モード、明るさ優先モード、画質優先モードなど）に依存する。
【００８４】
例えば、撮影データの種類（静止画（写真、文書）、動画）毎に別のフォルダとすることで、コピー後の画像投射方法毎の管理を容易にすることもできる。また、撮影モード（単射、連射）毎に別フォルダとすることで、映写時のデータ管理を容易にすることもできる。その他にも、手順Ｓ２０にて、予め設定されている目的（ポートレート、風景、夜景等）毎のフォルダをユーザが指示できるようにしておき、そのフォルダにコピーするようにしても良い。
【００８５】
また、送信されたファイルをフォルダ内にコピーした後、そのファイルには新しくファイル識別子が設定される。但し、既に設定されているファイル識別子はもとのままとし、書き替えは行わない。
【００８６】
図９は、プロジェクタがフォルダ作成機能を有する場合の画像データ整理方法を説明する図である。
【００８７】
プロジェクタ内に複数の画像を入れておき、プロジェクタ側でその画像を連続して出す順番を決定するようなシーンではこのような機能は有効である。また、この仕様では、カメラから取り外した後、プロジェクタのみ持ち歩いて、映写時の状況に応じてその映写方法を切り換えるなどの工夫ができる。
【００８８】
プロジェクタ２の第１直接投射クライアント２８は、新しくフォルダ「１０１ＡＢＣＤＥ」を作成し、そのフォルダ内に送信されたファイル「Ｐ１０１０００４．ＪＰＧ］、「Ｐ１０１０００５．ＪＰＧ］をコピーする。
【００８９】
また、送信されたファイルをフォルダ内にコピーした後、そのファイルには新しくファイル識別子が設定される。但し、既に設定されているファイル識別子はもとのままとし、書き替えは行わない。
【００９０】
図１０は、プロジェクタ２がファイル名を自動生成する機能を有さない場合の格納動作を説明する図である。単に、カメラ側からの指示に従って、プロジェクタ２が映写を行う場合は、このような仕様で十分である。
【００９１】
プロジェクタ２の第１直接投射クライアント２８は、送信されたファイル「Ｐ１０１０００４．ＪＰＧ］、「Ｐ１０１０００５．ＪＰＧ］を、名前を変更せずにそのままフォルダ「１００ＡＢＣＤＥ」内にコピーする。もし、フォルダに同一のファイル名が存在する場合のエラーについては、プロジェクタ２に実装されてある処理に依存する。
【００９２】
また、送信されたファイルをフォルダ内にコピーした後、そのファイルには新しくファイル識別子が設定される。但し、既に設定されているファイル識別子はもとのままとし、書き替えは行わない。
【００９３】
図１１は、プロジェクタがファイル名を自動生成する機能を有する場合の格納動作を説明する図である。
【００９４】
これは、全く関係のない状況で撮影された写真又は画像データなどを連続的に映写する時などに有効な機能である。これによって同じ投射制御のファイルとして、ひとまとめに管理することが可能となる。
【００９５】
プロジェクタ２の第１直接投射クライアント２８は、送信されたファイル「Ｐ１０１０００１．ＪＰＧ］、「Ｐ１０１０００２．ＪＰＧ］を、同一フォルダに同一ファイル名が無いように、名前を「Ｐ１０１０００４．ＪＰＧ］、「Ｐ１０１０００５．ＪＰＧ］と変更してフォルダ「１００ＡＢＣＤＥ」内にコピーする。
【００９６】
また、送信されたファイルをフォルダ内にコピーした後、そのファイルには新しくファイル識別子が設定される。但し、既に設定されているファイル識別子はもとのままとし、書き替えは行わない。
【００９７】
更に、直接投射装置は、ダイレクトコピー時に自動でファイルプロテクション設定を行う機能も備えている。ここで、ファイルプロテクションとは、当該ファイルが書き換えられないように保護する機能のことである。
【００９８】
尚、上述のファイル格納時のオプション動作については、適宜組合わせて実行することができ、第２直接投射クライアント２７がその動作を指定することが可能である。
【００９９】
１フォルダ内にコピーできるファイル数を制限し、所定ファイル数を越えた場合は、別のフォルダを作成し、新たに作成したフォルダにコピーを行っても良い。
【０１００】
フォルダを作成するタイミングは、コピー中に所定数を越えた場合、コピー開始前に所定数を越えている場合、コピー開始前には所定数を越えていないが越えることが分かっている場合のいずれでも良い。これにより、１フォルダ内のファイル数が多くなり、管理が困難になることを防ぐことができる。
【０１０１】
本ダイレクトコピー機能を有するプロジェクタ２によれば、ＰＣを介さずに電子カメラ１から直接プロジェクタ記録媒体１５にデータを転送して記録し、プロジェクタのみを外して持ち歩いて利用したり高画質の映像を連続的に映写することができる。
【０１０２】
また、媒体に記録する際の格納動作を指定することができるため、画像データを所望の映写モードに対応してプロジェクタ記録媒体１５に記録することができる。
【０１０３】
更に、ファイル識別子を用いてデータを管理しているため、電子カメラ、プロジェクタ２のメーカ、機種によらず統一的にデータを扱うことが可能となる。
【０１０４】
このように、ファイル管理、フォルダ管理できるプロジェクタ２では、例えば図１２のように、特定ファイルの画像、フォルダの画像をプロジェクタ再生時に、その画像にふさわしい再生方法にて再生制御することができる。
【０１０５】
つまり、複数の高画質画像を所定のスピードで連続投射する場合は、所定フォルダ内にその画像を入れておき、その所定フォルダを用いる場合（Ｔ０１  Ｙｅｓ）は、ファイルを順次再生する（Ｔ０５）ような仕様にすればよい。
【０１０６】
またファイル毎に明るさを優先とする投射（Ｔ０２  Ｎｏ、Ｔ０３）、色を優先とする投射（Ｔ０２  Ｙｅｓ、Ｔ０３）に切り換えることも可能である。なお、ファイル指定はプロジェクタの操作によって行っても良いし、カメラから行っても良い。
【０１０７】
また、明るさを優先とする投射あるいは色を優先とする投射はフォルダ毎に行っても良い。フォルダ毎に指定された場合は、そのフォルダに含まれる全ファイルが対象となる。このフォルダ指定はプロジェクタの操作によって行っても良いし、カメラから行っても良い。
【０１０８】
[制御用表示機能]
この機能は、プロジェクタ２内に存する画像データの操作状態を設定するためのグラフィカルユーザインターフェース（ＧＵＩ）等を電子カメラ１に送信して表示部８に表示し、カメラ１の操作によって、プロジェクタ２の制御を補助するための機能である。
【０１０９】
図１３は、制御用表示動作の信号授受フローを示す図である。
【０１１０】
本制御用表示動作は、第２直接投射サーバ２９と第２直接投射クライアント２７とのあいだの信号授受によって実行される。従って、第１直接投射サーバ２６と第１直接投射クライアント２８は信号授受動作を行わない。
【０１１１】
ユーザが電子カメラ１の操作部７を用いて、ファイル表示モードを選択して、制御用表示の開始を入力すると、第２直接投射クライアント２７が起動して、プロジェクタ２に対して先ずデバイス識別子を要求する（Ｓ３１）。
【０１１２】
ここで、デバイス識別子は、プロジェクタ２内のデバイスを識別するためのＩＤデータであり、直接投射装置がプロジェクタ２内の全デバイスに対してユニークな値を設定する。従って、このデバイス識別子によって対象とするデバイスを特定することができる。
【０１１３】
図１４は、デバイス識別子の付け方を示す図である。プロジェクタによって再生画像の解像度等が異なり、操作スイッチやモードなども異なるので、このような識別があった方が好ましい。
【０１１４】
デバイス識別子は、８桁の数字によって構成され、上位４桁が物理デバイス番号を表わし、下位４桁が論理デバイス番号を表わしている。物理デバイスとは、物理的に別個の装置として存在するプロジェクタであり、論理デバイスとは、同一装置内を複数の仕様のプロジェクタに仮想的に分割したものである。これは、複数のユーザが、プロジェクタをカスタマイズしてモード設定する時などに使われる。
【０１１５】
図１４に示す例では、ＤＭＤ式プロジェクタの物理デバイス番号を「０００１」、液晶式プロジェクタの物理デバイス番号を「０００２」とし、更に、ＤＭＤ式プロジェクタの２つの論理デバイス番号を「０００１」、「０００２」として、この物理デバイス番号と論理デバイス番号からデバイス識別子を設定している。
【０１１６】
プロジェクタ２では、第２直接投射サーバ２９がデバイス識別子を電子カメラ１に送信する（Ｓ３２）。デバイス識別子を受信した電子カメラ１では、第２直接投射クライアント２７がデバイス識別子ごとのプロジェクタ情報を要求する（Ｓ３３）。
【０１１７】
プロジェクタ２では、第２直接投射サーバ２９がプロジェクタ情報を編集して電子カメラ１に編集したプロジェクタ情報を送信する（Ｓ３４）。
【０１１８】
第２直接投射サーバ２９が編集するプロジェクタ情報は、例えば、プロジェクタ種別、カラーフィルタ情報、ストレージ総容量、ストレージ空き容量などである。
【０１１９】
プロジェクタ情報を受信した第２直接投射クライアント２７は、そのプロジェクタ情報を表示部８に表示する（Ｓ３５）。ユーザはこの表示を参照して表示対象とするデバイスを操作部７によって選択する（Ｓ３６）。
【０１２０】
このプロジェクタ情報表示（Ｓ３１〜Ｓ３６）は電子カメラ１とプロジェクタ２が接続された場合等に用いてもよい。
【０１２１】
例えば、図１４に示す、３種類のデバイスを有するプロジェクタ２が電子カメラ１に接続された場合、電子カメラ１の表示部８にはデバイス識別子に対応するプロジェクタ情報が３つ表示される。
【０１２２】
これによりプロジェクタ２が接続されたということだけではなく、どのような論理あるいは物理デバイスが存在しているかをユーザに告知することができ、ユーザは電子カメラ１の表示部８に表示されているプロジェクタ情報をもとに利用するシーンや、再生画像を考慮して最もふさわしい所望のデバイスを容易に選択することができる。
【０１２３】
第２直接投射クライアント２７は、プロジェクタ２に格納されているファイル識別子のリストを要求する（Ｓ３７）。第２直接投射サーバ２９は、該当するファイル識別子のリストを作成して電子カメラ１に回答を送信する（Ｓ３８）。
【０１２４】
電子カメラ１では、第２直接投射サーバ２９が送信されたリストから１つのファイル識別子を取り出し、そのファイル識別子についてのファイル情報をプロジェクタ２に要求する（Ｓ３９）。
【０１２５】
プロジェクタ２では、第２直接投射クライアント２７がそのファイル識別子についてのファイル情報を編集して電子カメラ１に送信する（Ｓ４０）。ここで、回答するファイル情報は、例えば、すでに転送された画像のファイル名、ファイルサイズや、プロジェクタのグラフィカルユーザインターフェース（ＧＵＩ）情報などである。なお、ＧＵＩを用いることで、上述のように、ユーザは電子カメラ１からプロジェクタ２を操作することが可能になる。
【０１２６】
電子カメラ１では、第２直接投射クライアント２７が送信されたファイル情報に基づいてＧＵＩ、画像ファイル等を受け入れるための準備を行う。即ち、ファイルサイズから空き容量のチェックを行い、受入れ可能かどうかの判断を行う。そして、受入れ可能であれば、ファイルの転送を要求する（Ｓ４１）。
【０１２７】
プロジェクタ２では、第２直接投射サーバ２６がＧＵＩとファイル識別子のファイルを電子カメラ１に対して送信する（Ｓ４２）。
【０１２８】
図１５は、ファイルの取り出し動作を説明する図である。電子カメラ１からファイル識別子として「０００００００３」を指定することにより、ファイル名「Ｐ１０１０００１．ＪＰＧ］が特定され送信される。
【０１２９】
電子カメラ１では、第２直接投射クライアント２７が送信されたファイルを表示部８に表示する（Ｓ４３）。このとき、送信されたファイルを所定の領域に格納しても良い。尚、ファイルを格納する際は、第２直接投射クライアント２７はそのファイルにユニークなファイル識別番号を設定する。
【０１３０】
以上の手順（Ｓ３９〜Ｓ４３）を、全てのファイル識別子について繰り返して実行する。
【０１３１】
本制御用表示機能によれば、ＰＣを介さずにプロジェクタ２から直接にビジュアルな設定入力機能を電子カメラ１に転送して電子カメラ１のＴＦＴ液晶に表示することができる。
【０１３２】
そこで、図１６に示すように、ユーザはこのＧＵＩを介して電子カメラ１をプロジェクタ２のリモコン代わりに利用してそのモードを切り換えることができる。図１７は、電子カメラ１の制御手段によるプロジェクタモードの切り換え手順を示す概略のフロー図である。
【０１３３】
電子カメラ１がモード切換を行わない場合（Ｔ１０  Ｎｏ）は、電子カメラ１の液晶に投射画像が表示される（Ｔ１１）が、電子カメラ１がモード切換を行った場合（Ｔ１０  Ｙｅｓ）は、電子カメラ１の液晶に図１８に示すようなプロジェクタのモード切換表示がインポーズされる（Ｔ１２）。これによって、プロジェクタ２の画面上に再生画像を妨げる図１８に示す調整用の表示を出すことなく画像を楽しむことができる。
【０１３４】
なお、ユーザはこのＧＵＩを介して、電子カメラ１からプロジェクタ２が投影する画像ファイル、あるいは画像ファイルを含むフォルダを指定することもできる。
【０１３５】
更に、ファイル識別子を用いてデータを管理しているため、電子カメラ、プロジェクタのメーカ、機種によらず統一的にデータを扱うことが可能となる。
【０１３６】
［ファイル／ストレージ操作機能］
この機能は、電子カメラ１からプロジェクタ２内のファイル等を操作する機能のことである。電子カメラ１とプロジェクタ２のユーザがプロジェクタ記録媒体１５に格納したファイルを操作し、プロジェクタ２のみ他人に貸し出すような使い方が可能となる。
【０１３７】
図１９は、ファイル／ストレージ操作動作の信号授受フローを示す図である。
【０１３８】
ユーザが電子カメラ１の操作部７を用いて、操作しようとする内容を選択して、操作の開始を入力すると、第２直接投射クライアント２７が起動して、ファイル／ストレージ操作要求をプロジェクタ２に送信する（Ｓ５１）。
【０１３９】
ここで、ファイル／ストレージ操作要求のデータには、操作しようとするファイル識別子（１〜ｍ）とストレージの操作動作が指定されている。ストレージの操作動作には、プロジェクタ内での画像データのコピー／移動動作、プロジェクタ内での画像データの削除などの動作、プロジェクタ２のフォーマット動作等がある。
【０１４０】
プロジェクタ２では、第２直接投射サーバ２９が操作要求に基づいた動作を開始すると共に、その動作を開始した旨の応答として装置ステータスを送信する（Ｓ５２）。装置ステータスは、アイドル状態、動作中などのプロジェクタ側の状態を表わす情報である。
【０１４１】
プロジェクタ２の第２直接投射サーバ２９は、ファイル識別子ごとの操作動作が開始される度にステータスを送信する（Ｓ５３、Ｓ５６）。このステータスを受信した第２直接投射クライアント２７は、そのタイミングで進捗情報を表示部８に更新して表示する（Ｓ５４、Ｓ５５、Ｓ５７）。
【０１４２】
そして、第２直接投射サーバ２９が、操作動作を終了した時に装置ステータスを送信し（Ｓ５８）、電子カメラ１の第２直接投射クライアント２７は、表示部８にファイル／ストレージ操作動作のＯＫ・エラーを表示する（Ｓ５９）。
【０１４３】
次に、このファイル／ストレージ操作の具体的な動作について説明する。
【０１４４】
図２０は、他のフォルダへのコピー／移動動作を説明する図である。
【０１４５】
これは、プロジェクタ内のファイルを他のフォルダにコピーまたは移動する動作である。ファイル名「Ｐ１０１０００１．ＪＰＧ」をフォルダ「１０１ＡＢＣＤＥ」にコピーまたは移動する場合、電子カメラ１の第２直接投射クライアント２７はファイル／ストレージ操作要求において、コピー／移動するファイル識別子「０００００００３」とコピー／移動先のフォルダのファイル識別子「０００００００６」を指定する。
【０１４６】
また、プロジェクタ２の第２直接投射サーバ２９は、コピー動作を行ったときは、新しくコピーしたファイルにユニークなファイル識別子を設定する。移動動作では、ファイル識別子は変更しない。
【０１４７】
図２１は、削除／プロテクション動作を説明する図である。
【０１４８】
この動作は、プロジェクタ内のファイルまたはフォルダを削除しあるいはプロテクションの設定をする。ファイル名「Ｐ１０１０００１．ＪＰＧ」を削除またはプロテクションする場合、電子カメラ１の第２直接投射クライアント２７はファイル／ストレージ操作要求において、削除／プロテクションするファイル識別子「０００００００３」を指定する。
【０１４９】
これによって、プロジェクタ単体を持ち歩く場合、プロテクションによってストアされた画像を保護できる。また電子カメラ１でのみそれが削除可能にしておけば、カメラユーザのみがそのプロジェクタ２の画像を管理することが可能となり、第３者への貸し出しが安心してできる。
【０１５０】
［同時印刷、コピー機能］
本直接投射装置は、上述の各機能に加えて、ファイルをプリンタに直接出力して印刷するコピー機能を備えてもよい。例えば、図２のプリンタ１０１、印刷物１０２はこのコピー機能を実現する構成を示している。
【０１５１】
この機能を用いれば、ユーザが操作をすることにより、投射した画像の印刷を開始させることが可能である。
【０１５２】
投射した画像データを印刷する場合、たくさんの人が欲しい画像を同時に見ることができる。プリント動作には時間がかかり、プリントが終了するまで待ちの状態に置かれることはユーザにストレスを与えることになるが、プロジェクタで他の映像を見るなどにより、時間の有効利用を行えるため、ユーザがストレスを感じることを解消することができる。
【０１５３】
なお、上述の実施の形態では、電子カメラ１とプロジェクタ２からなるプロジェクタシステムについて説明したが、本発明はこの形態に限定されず、種々の組合せで実現することができる。
【０１５４】
たとえば、電子カメラ１は広く撮像装置とすることができ、プロジェクタ２は投影装置とすることもできる。また、プロジェクトする対象は、静止画に限られず動画を扱っても良い。
【０１５５】
尚、上記実施形態には種々の段階の発明が含まれているため、開示される複数の構成要件における適宜な組み合わせにより種々の発明を抽出することができる。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【図面の簡単な説明】
【０１５６】
【図１】本発明に係る直接投射装置の狙いを示す図。
【図２】本発明に係る直接投射装置を用いたプロジェクタシステムの構成を示す図。
【図３】直接投射装置のプロトコルアーキテクチャを示す図。
【図４】ディスカバリ動作の信号授受フローを示す図。
【図５】機能情報及び能力情報の獲得動作の信号授受フローを示す図。
【図６】ダイレクトコピー動作の信号授受フローを示す図。
【図７】ファイル識別子の付番方法を示す図。
【図８】プロジェクタ２がフォルダ作成機能を有さない場合の画像データ整理方法を説明する図。
【図９】プロジェクタがフォルダ作成機能を有する場合の画像データ整理方法を説明する図。
【図１０】プロジェクタ２がファイル名を自動生成する機能を有さない場合の格納動作を説明する図。
【図１１】プロジェクタがファイル名を自動生成する機能を有する場合の格納動作を説明する図。
【図１２】画像の再生制御方法を示すフロー図。
【図１３】制御用表示動作の信号授受フローを示す図。
【図１４】デバイス識別子の付け方を示す図。
【図１５】ファイルの取り出し動作を説明する図。
【図１６】ユーザの操作状況を示す図。
【図１７】プロジェクタモードの切り換え手順を示す概略のフロー図。
【図１８】調整用の表示を示す図。
【図１９】ファイル／ストレージ操作動作の信号授受フローを示す図。
【図２０】他のフォルダへのコピー／移動動作を説明する図。
【図２１】削除／プロテクション動作を説明する図。
【図２２】複数の鑑賞者を対象とした鑑賞を示す図。
【符号の説明】
【０１５７】
１…電子カメラ、２…ストレージ、３…通信線、６…機器記録媒体、７…操作部、８…表示部、１０…機器直接投射手段、１１…機器制御部、１５…プロジェクタ記録媒体、１７…プロジェクタ直接投射手段、１８…ストレージ制御部、１９ｂ…ＤＭＤ、２６…第１直接投射サーバ、２７…第２直接投射クライアント、２８…第１直接投射クライアント、２９…第２直接投射サーバ、３５…フォルダ、３８…ファイル。
【図１】
2005130394.tif 000003
【図２】
2005130394.tif 000004
【図３】
2005130394.tif 000005
【図４】
2005130394.tif 000006
【図５】
2005130394.tif 000007
【図６】
2005130394.tif 000008
【図７】
2005130394.tif 000009
【図８】
2005130394.tif 000010
【図９】
2005130394.tif 000011
【図１０】
2005130394.tif 000012
【図１１】
2005130394.tif 000013
【図１２】
2005130394.tif 000014
【図１３】
2005130394.tif 000015
【図１４】
2005130394.tif 000016
【図１５】
2005130394.tif 000017
【図１６】
2005130394.tif 000018
【図１７】
2005130394.tif 000019
【図１８】
2005130394.tif 000020
【図１９】
2005130394.tif 000021
【図２０】
2005130394.tif 000022
【図２１】
2005130394.tif 000023
【図２２】
2005130394.tif 000024